(57)【要約】【課題】現在市販されている布団等に従来から採用されているクッション形式の構造を形態的に内空型まゆクッション枕に変更した構造を提供する。【解決手段】本考案は、繭カプセルの先端部を横切断して開き、繭カプセルの内部を空白に形成した半形体繭自体をセリシンで固めさせ、別に半形体繭自体内部に繭の外側以外の部品を用いることなく空白状態に改善し、形成した繭を互いに密に装着し、装着した繭の外部を空気流通の多い紗織りのカーレンシャ布にて覆い形成させた内空型まゆクッション枕の構造【選択図】図１
0003126519.tif 000002
【実用新案登録請求の範囲】
【請求項１】
全繭カプセルの先端部を横切断して開き、繭カプセルの内部を空白に形成した半形体繭自体をセリシンで固めさせ、別に内部に繭以外の部品を用いることなく、繭の外部を空気流通の多い紗織りのカーレンシャ布にて覆い形成させる。そのため身体に直接に多接触する各繭の効能により、身体に接触刺激効果を受けるばかりでなく、各繭の接合間隔によって発生する大きな通気性効果をも発揮させ、簡単に効果的に、活性生活に、人の健康向上にも使用役立つ効能を取得することができる内空型まゆクッション枕の構造。
【考案の詳細な説明】
【技術分野】
【０００１】  本考案は、健康生活に有効な寝具、例えば布団枕、首枕、足枕、背もたれ等のクッション枕等の形成構造に関するものである。
【背景技術】
【０００２】  従来、布団或いは枕等のクッション枕として、例えば天然のカイコ繭の中に多種類の弾性材を充填したカイコ繭をクッション材として設け、種々の形態として形成されている。
基本的には布団或いは枕等のクッション材は、布団等のカバー体に内装され、一般にカイコの天然繭を袋型形状にして、その内部のさなぎを脱除したカイコの繭（殻）内に、例えば羽毛、綿、ビニールビーズ、糸層或いは発泡スチロール等の弾性資材が充填される形態がとられている。（特許第２５９９４０１号）がある。【０００３】  また先願の中で複数個の布団ブロックと、個々の布団ブロックとの辺部に配置され、隣り合う布団ブロックの辺部同士を接合して、シングルサイズ、ダブルサイズ、シングルロングサイズ、子供サイズを初めとする自在なサイズからなる布団ブロック群を形成可能とする辺部着脱を可能としたユニット布団（実登第３０５９４２２号）がある。【０００４】  特許第２５９９４０１号の内部にはさなぎを脱除したカイコの繭（殻）内に、種々の弾性資材を充填させる形態を構築し、形成され、また実登第３０５９４２２号には複数個の布団ブロックと、隣り合う布団ブロックの辺部同士を接合してサイズの組合せをしたユニット布団を提供する形態を構築し、これらの改善が図られていた。【０００５】
【技術文献１】
特許第２５９９４０１号公報  （請求項１、第１図、第３図）
【技術文献２】
実登第３０５９４２２号公報  （実施例、請求項１、請求項２，第１図）
【考案の開示】
【考案が解決しようとする課題】
【０００６】  今までの出願では、布団或いは枕等のカバー体に内装されるクッション材としては、殆ど内部に弾性資材を充填した複数の繭から成るものを構成させたものであり、布団或いは枕等のクッション材として、また、真綿、ウレタンフォーム等、多種類の弾性体が使用され、布製カバー体の内部に一定厚みを有する各種の弾性資材を繭内部に内装配備して、布団或いは枕が形成されているのが一般であった。【０００７】  ところが、真綿或いはウレタンフォーム材は、当初は一定厚みを有し、弾性力を保持するものの、永年使用により弾性復元力が消化し、また、軽量である反面、身体接触面において吸収した体温を、畳、床等に熱伝導させ、十分な蓄熱効果をも得られない不利も生じている。【０００８】  そこで、本考案は、現在市販されている種々のタブの構造形態でなく、繭カプセルの先端部を横切断して開き、繭カプセルの内部を空白にして形成し、繭自体をセリシンで固めさせることにより、別に内部に繭以外の部品を用いることなく、身体に接触する各繭により、身体に接触刺激効果を受けるばかりでなく、各繭の接合間隔によって生じる大きな通気性効果をも発揮させ、簡単に効果的に生活使用出来る事を目的としたものである。
【考案を解決するための手段】
【０００９】  本考案は、この目的を達成さる為に、次の様な構成としている。本考案はこの今までの繭の内部に弾性資材を充填した複数の繭を使用することとした先出願の構造でなく、図１、図２、図３、図４の如く従来のタブ形態でなく、枕一体に切った繭を構成した形態にて、誰でも簡単に枕として使用し、健康的に貢献できる構造に形成させる手段。
図３、図４の如く、切った繭にて構成させることによって、その繭をカーレンシャ布にて紗一体形態に覆い形成させることにより、空気の流通が良く、水切りの良い、丸洗いも安心してできる手段が得られることにより、快適で健康的な睡眠を実現し得る等、目的を達成した優れた効果を有する構造に構成させる手段を講じたものである。
【考案の効果】
【００１０】  この考案では、絹の生糸を芯形態にて形成した棒状に、それを芯状として弾力性を持った紗織り組織の絹織物にて被い一体形にて形成させた絹心棒の上に人体との内部が空形態の繭を使用し、これが直接枕として使用した場合、床ずれ予防、首枕、足枕、背もたれ、呼吸効果の促進等、身体は接触する空繭により適宜な接触刺激圧を受け、血行増進効果を得ることができる等、快適で健康的な睡眠を拾得し得る等、大きな効果を得ることができる。
【考案を実施するための最良の形態】
【００１１】  本考案は、上記の手段を講じたので、この形態を使用するときは簡単に、従来の繭使用構造のあらゆる枕にも内空型まゆクッション枕の構造を用いることができ、従来の製造方法を改造することなく、簡単に構造形態を採用することができる。
【実施例】
【００１２】  以下、図１、図２、図３、図４、図５に基づき本考案の実施例について詳細に説明する。【００１３】  従来の布団等のクッション材としては、例えば真綿、ウレタンフォーム等、多種類の弾性材が一般に使用されている。つまり、布製カバー体の内部に一定厚みを有する各種の弾性資材を内部配備として布団或いは枕として形成されている。【００１４】  本考案では、上述した方法にて各種の弾性資材を設けるける構成とは異なり、先願されている特許第２５９９４０１号布団等のクッション材特許、即ち、特許サナギを脱除した繭の内部空間には、弾性資材、例えば真綿、羽毛、糸屑、ビニールビーズ或いは発泡スチロール等が内部空間に充填され、繭の弾性復元力と蓄熱性或いは放熱性を持っている。つまり、繭内に発泡スチロール、綿等を充填した場合には、繭単体のと蓄熱効果が向上し、逆にビニールビーズを充填した場合は放熱効果が向上する。特許出願が既に認証されている従来の方法とは異なり、繭１を横切断１６して分離させ、内部１７を空に構成し、今までにない内空型まゆクッション枕の構造を提供した。【００１５】  本考案は図１に示されるクッションシステム繭を構成するには、最も大切なことは図３に示されるように、繭１を二つに横切断し、内部を空にすることで、この切断繭１７を密に配置し、その最表面を網５形態にして繭表面部をカバーさせるカーレンシャ布５にてクッションシステムを構築させる。
一般に、ユニット枕Ａ、Ｂ、Ｃの太さの大きさは選択形成させ、ユニット枕Ａは大、ユニット枕Ｂは少、ユニット枕Ｃは中と枕として使用させる場合にはかかる形態にて選択形成させる。また、ゴム紗７、芯絹生糸８はユニット枕Ａ、Ｃだけに構築し、Ｂは不要との構築選択も行うこともできる。  この場合、体にあてて、床づれ予防に使う場合とか、背もたれに使うとか、効能結果を十分考慮して異なった選択形成構築する必要がある。【００１６】  この考案の最も効果のある構造は、中央部分に設置される芯絹生糸８・ゴム紗７にて形成される形態を適正に構成していることで、その上面一体に覆い、配備させる繭１７がカバーさせるように、芯絹生糸８・ゴム紗７の形成太さを比率的に構築させたことである。【００１７】  この考案は図１、図２に記載する三段式のクッションシステム繭形式２．３．４を示しているが、図６に示すように［技術文献２］実登第３０５９４２２号公報に示すユニット布団のような形態にて本考案にて多々の段式のクッションシステム繭形式をも構築することもできる。【００１８】  尚、この考案はセリシンでかためた半形体繭１７で、セリシンは常に絹糸腺の管壁にあって、フイブロインを含んだ状態で不均一な繊維化を防ぐとともに、吐き糸を容易にするための潤滑剤のような役目をしている。
即ち、本考案は先出願した特許を更に新しい構造に進展させたものである。
【産業上の利用可能性】
【００１９】  本考案の横に切った繭を空欄にして構成し使用する構造は、医療的効果は勿論、別感覚のある商売的な枕柄効果をも表現し、まゆクッション枕の別社会感、体に当てる床づれ予防感等、今までの社会にない実感を皆に感じさせ、高齢者も簡単に自らの健康の効果に使うことができ利用可能性が大である。
【図面の簡単な説明】
【００２０】
【図１】本考案の実施例クッションシステム繭を構成する平面断面構造図である。
【図２】本考案の側面から見た側面断面を示す構造図である。
【図３】本考案の一体形態に使用するカーレンシャ布の構造図である。
【図４】本考案の切った繭の実施形態を示す繭構造説明図である。
【図５】本考案のクッションシステム繭構成を布団に使用した他の例を示す説明図。
【図６】他の使用形態を示す使用説明図である。
【符号の説明】
１．  繭
２．  ユニット枕Ａ
３．  ユニット枕Ｂ
４．  ユニット枕Ｃ
５．  カーレンシャ布
６ａ、６ｂ、  布結合部分
７．  ゴム紗
８．  芯絹生糸
９．  端部切断開口天然繭
１０．  繭切断口
１１．  弾性資材
１２．  端部カバー布
１３ａ、１３ｂ．  カーレンシャ布端部
１４．  カーレンシャ布接合部
１５．  ゴム紗・芯絹生糸無挿入部分
【図１】
0003126519.tif 000003
【図２】
0003126519.tif 000004
【図３】
0003126519.tif 000005
【図４】
0003126519.tif 000006
【図５】
0003126519.tif 000007
【図６】
0003126519.tif 000008
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
全繭カプセルの先端部を横切断して開き、繭カプセルの内部を空白に形成した半形体繭自体をセリシンで固めさせ、別に内部に繭以外の部品を用いることなく、繭の外部を空気流通の多い紗織りのカーレンシャ布にて覆い形成させ、身体に直接に多接触する各繭の効能形態により、身体に接触刺激効果を受けさせるばかりでなく、各繭の接合間隔によって発生する大きな通気性効果をも発揮させ、簡単に、効果的に、活性生活にも、人の健康向上にも役立つまゆの効能を、更に取得することができる内空型まゆクッション枕の構造。